(57)【特許請求の範囲】
【請求項１】
浴室内の空気と、前記浴室に隣接する隣接室内の空気と、を暖める暖房装置であって、
ファンと、
前記浴室に設けられた開口部を介して前記浴室内の空気を吸い込む第１吸込口と、
前記隣接室内の空気を吸い込む第２吸込口と、
前記第１吸込口および前記第２吸込口から吸い込まれた空気を加熱する加熱部と、
前記加熱部によって加熱された空気を前記隣接室内へ吹き出す吹出口と、
を有する本体部を備え、
前記吹出口から吹き出された空気は、前記浴室と前記隣接室とをつなぐ連通口を介して前記浴室内へ流入することを特徴とする暖房装置。
【請求項２】
前記浴室内の温度を測定する浴室温度センサと、
前記隣接室内の温度を測定する隣接室温度センサと、
前記ファン及び前記加熱部の動作を制御する制御部と、
をさらに備え、
前記制御部は、前記浴室内の温度と前記隣接室内の温度とに基づいて、前記第１吸込口から前記本体部に吸い込まれる前記浴室内の単位時間当たりの空気の量を調整することを特徴とする請求項１に記載の暖房装置。
【請求項３】
前記制御部は、前記浴室内の温度と、前記隣接室内の温度と、の差が所定値以下になると、前記本体部に吸い込まれる単位時間当たりの空気の量を少なくすることを特徴とする請求項２に記載の暖房装置。
【請求項４】
浴室内の空気と、前記浴室に隣接する隣接室内の空気と、を暖める暖房装置であって、
ファンと、
前記浴室に設けられた開口部を介して前記浴室内の空気を吸い込む吸込口と、
前記吸込口から吸い込まれた空気を加熱する加熱部と、
前記加熱部によって加熱された空気を前記隣接室内へ吹き出す吹出口と、
を有する本体部を備え、
前記吹出口から吹き出された空気は、前記浴室と前記隣接室とをつなぐ連通口を介して前記浴室内へ流入し、
前記隣接室内の温度を測定する隣接室温度センサと、
前記ファン及び前記加熱部の動作を制御する制御部と、
をさらに備え、
前記制御部は、前記隣接室内の温度が所定の温度以上になるまで前記隣接室内の空気を暖め、前記隣接室内の温度が前記所定の温度以上になると、単位時間当たりに前記吸込口から吸い込まれる前記浴室内の空気の量を増加させることを特徴とする暖房装置。
【請求項５】
前記制御部は、前記隣接室内の温度が前記所定の温度以上になると、前記加熱部における通電量及び前記吹出口から吹き出される単位時間当たりの空気の量の少なくともいずれかを少なくすることを特徴とする請求項４に記載の暖房装置。
【請求項６】
浴室内の空気と、前記浴室に隣接する隣接室内の空気と、を暖める暖房装置であって、
ファンと、
前記浴室に設けられた開口部を介して前記浴室内の空気を吸い込む吸込口と、
前記吸込口から吸い込まれた空気を加熱する加熱部と、
前記加熱部によって加熱された空気を前記隣接室内へ吹き出す吹出口と、
を有する本体部を備え、
前記吹出口から吹き出された空気は、前記浴室と前記隣接室とをつなぐ連通口を介して前記浴室内へ流入し、
前記本体部は、前記ファン及び前記加熱部の動作を制御する制御部をさらに備え、
前記制御部は、暖房運転開始から所定時間が経過すると、単位時間当たりに前記吸込口から吸い込まれる前記浴室内の空気の量を増加させることを特徴とする暖房装置。
【請求項７】
前記制御部は、複数のモードを有し、
前記複数のモードは、前記加熱部の出力、および、単位時間当たりの前記吹出口から吹き出される空気の量の少なくともいずれかにおいて、互いに異なることを特徴とする請求項６に記載の暖房装置。
【請求項８】
前記制御部は、暖房運転開始からの経過時間によって、前記本体部に吸い込まれる単位時間当たりの空気の量を、段階的に変化させることを特徴とする請求項６に記載の暖房装置。
【請求項９】
前記吹出口は、前記連通口に向けて空気を吹き出すことを特徴とする請求項１〜８のいずれか１つに記載の暖房装置。
【請求項１０】
前記隣接室内には、洗面化粧台が設けられ、
前記吹出口は、空気を吹き出す方向を変更する可動部を有し、
前記可動部は、空気を吹き出す方向を前記連通口に向けた方向とすること、および、空気を吹き出す方向を前記洗面化粧台に向けた方向とすることが可能であることを特徴とする請求項１〜８のいずれか１つに記載の暖房装置。
【請求項１１】
ドア開閉検知手段と、
報知手段と、
をさらに備え、
前記連通口は、前記浴室と前記隣接室とをつなぐドアを含み、
前記ドア開閉検知手段は、前記ドアの開閉状態を検知可能であり、
前記報知手段は、暖房運転中に前記ドア開閉検知手段が前記ドアが閉じていることを検知すると報知を行うことを特徴とする請求項１〜１０のいずれか１つに記載の暖房装置。
【発明の詳細な説明】
【技術分野】
【０００１】
本発明の態様は、一般的に、暖房装置に関する。
【背景技術】
【０００２】
家の中に生じた温度差によって、身体に負担が掛かることがある。例えば、温度の高い領域から温度の低い領域への移動、または、温度の低い領域から温度の高い領域への移動に伴い、血圧が急激に変化することがある。このような温度差による身体への影響は、ヒートショックとして知られている。
【０００３】
一般に、冬場の入浴時には、ヒートショックが生じやすいことが知られている。例えば、使用者が洗面所から浴室へ移動するタイミングや、お湯につかるタイミングにおいて、血圧が大きく変動しやすい。  
これに対して、浴室及び浴室に隣接する隣接室（例えば洗面所）を暖めることにより、ヒートショックを抑制することができる。ヒートショックを抑制するためには、浴室と隣接室の両方を暖めること、及び、浴室の温度と隣接室の温度との差を小さくすることが望ましい。浴室及び隣接室の両方を暖めるために、例えば、浴室及び隣接室のそれぞれに暖房装置を設置する方法がある。または、１台の暖房装置で２室に送風する方法がある。
【先行技術文献】
【特許文献】
【０００４】
【特許文献１】特開２００４−３３３０７１号公報
【発明の概要】
【発明が解決しようとする課題】
【０００５】
浴室及び隣接室のそれぞれに暖房装置を設置すると、暖房装置が１台の場合に比べて、設備費や施工費などのコストが高くなってしまう。そこで、１台の暖房装置で２室を暖めることが望まれる。一方、１台の暖房装置で２室を暖める場合、構造が複雑になったり、温度が高くなるまでに時間が掛かったりすることがある。また、１台の暖房装置が２室を暖めるため、消費電力が大きくなりやすい。
【０００６】
本発明は、かかる課題の認識に基づいてなされたものであり、１台で効率良く２室を暖めることができる暖房装置を提供することを目的とする。
【課題を解決するための手段】
【０００７】
第１の発明は、浴室内の空気と、前記浴室に隣接する隣接室内の空気と、を暖める暖房装置であって、ファンと、前記浴室に設けられた開口部を介して前記浴室内の空気を吸い込む第１吸込口と、前記隣接室内の空気を吸い込む第２吸込口と、前記第１吸込口および前記第２吸込口から吸い込まれた空気を加熱する加熱部と、前記加熱部によって加熱された空気を前記隣接室内へ吹き出す吹出口と、を有する本体部を備え、前記吹出口から吹き出された空気は、前記浴室と前記隣接室とをつなぐ連通口を介して前記浴室内へ流入することを特徴とする暖房装置である。
【０００８】
この暖房装置によれば、暖房装置は、浴室内の空気を吸い込み、吸い込んだ空気を加熱して隣接室内へ吹き出す。そして、吹き出された空気は連通口を介して、再び浴室内へ流れる。このように、暖房装置によって隣接室と浴室との間で、加熱された空気を循環させることで、１つの装置で２室を暖めることができる。このため、２つの装置を設置する場合に比べて、暖房装置を設置するイニシャルコストや施工の工数の増加を抑制することができる。加熱された空気を連通口を介して循環させることで、簡易な構造によって、効率良く２室を暖めることができる。また、隣接室内に加熱された空気が吹き出されることにより、冬場の朝の身支度時などに、隣接室を短時間で暖めることができる。
【００１３】
第２の発明は、第１の発明において、前記浴室内の温度を測定する浴室温度センサと、前記隣接室内の温度を測定する隣接室温度センサと、前記ファン及び前記加熱部の動作を制御する制御部と、をさらに備え、前記制御部は、前記浴室内の温度と前記隣接室内の温度とに基づいて、前記第１吸込口から前記本体部に吸い込まれる前記浴室内の単位時間当たりの空気の量を調整することを特徴とする暖房装置である。
【００１４】
この暖房装置によれば、浴室の温度及び隣接室の温度によって、暖房装置が吸い込む空気の量が変更される。これにより、例えば浴室の温度が低い場合には、浴室から、より多くの空気を吸い込み、加熱することができる。したがって、２室の温度を短い時間で効率良く上昇させることができる。また、浴室の温度と隣接室の温度との差を小さくすることができる。
【００１５】
第３の発明は、第２の発明において、前記制御部は、前記浴室内の温度と、前記隣接室内の温度と、の差が所定値以下になると、前記本体部に吸い込まれる単位時間当たりの空気の量を少なくすることを特徴とする暖房装置である。
【００１６】
この暖房装置によれば、浴室と隣接室との温度差が小さくなると、空気を吸い込むために消費される電力が抑えられる。これにより、浴室の温度と隣接室の温度との差を小さくしてヒートショックを抑制しつつ、消費電力を抑えることができる。
【００１７】
第４の発明は、浴室内の空気と、前記浴室に隣接する隣接室内の空気と、を暖める暖房装置であって、ファンと、前記浴室に設けられた開口部を介して前記浴室内の空気を吸い込む吸込口と、前記吸込口から吸い込まれた空気を加熱する加熱部と、前記加熱部によって加熱された空気を前記隣接室内へ吹き出す吹出口と、を有する本体部を備え、前記吹出口から吹き出された空気は、前記浴室と前記隣接室とをつなぐ連通口を介して前記浴室内へ流入し、前記隣接室内の温度を測定する隣接室温度センサと、前記ファン及び前記加熱部の動作を制御する制御部と、をさらに備え、前記制御部は、前記隣接室内の温度が所定の温度以上になるまで前記隣接室内の空気を暖め、前記隣接室内の温度が前記所定の温度以上になると、単位時間当たりに前記吸込口から吸い込まれる前記浴室内の空気の量を増加させることを特徴とする暖房装置である。
【００１８】
この暖房装置によれば、暖房装置は、浴室内の空気を吸い込み、吸い込んだ空気を加熱して隣接室内へ吹き出す。そして、吹き出された空気は連通口を介して、再び浴室内へ流れる。このように、暖房装置によって隣接室と浴室との間で、加熱された空気を循環させることで、１つの装置で２室を暖めることができる。このため、２つの装置を設置する場合に比べて、暖房装置を設置するイニシャルコストや施工の工数の増加を抑制することができる。加熱された空気を連通口を介して循環させることで、簡易な構造によって、効率良く２室を暖めることができる。また、隣接室内に加熱された空気が吹き出されることにより、冬場の朝の身支度時などに、隣接室を短時間で暖めることができる。
また、この暖房装置によれば、まず隣接室内が優先的に暖められる。その後、隣接室内の温度が所定の温度以上となってから、浴室から吸い込まれる空気の量を増加させることで、浴室を暖める。このとき、一般的に空気は、温度の高い方から低い方へ流れやすいため、連通口を介して隣接室から浴室へ空気が流れやすくなる。したがって、空気が循環しやすく、熱が拡散しやすいため、短時間で浴室内の温度を上昇させることができる。これにより、浴室と隣接室との温度差を小さくすることができる。
【００１９】
第５の発明は、第４の発明において、前記制御部は、前記隣接室内の温度が前記所定の温度以上になると、前記加熱部における通電量及び前記吹出口から吹き出される単位時間当たりの空気の量の少なくともいずれかを少なくすることを特徴とする暖房装置である。
【００２０】
この暖房装置によれば、加熱部の通電量や、単位時間当たりに吹き出される空気の量を少なくすることで、消費電力を抑えることができる。
【００２１】
第６の発明は、浴室内の空気と、前記浴室に隣接する隣接室内の空気と、を暖める暖房装置であって、ファンと、前記浴室に設けられた開口部を介して前記浴室内の空気を吸い込む吸込口と、前記吸込口から吸い込まれた空気を加熱する加熱部と、前記加熱部によって加熱された空気を前記隣接室内へ吹き出す吹出口と、を有する本体部を備え、前記吹出口から吹き出された空気は、前記浴室と前記隣接室とをつなぐ連通口を介して前記浴室内へ流入し、前記本体部は、前記ファン及び前記加熱部の動作を制御する制御部をさらに備え、前記制御部は、暖房運転開始から所定時間が経過すると、単位時間当たりに前記吸込口から吸い込まれる前記浴室内の空気の量を増加させることを特徴とする暖房装置である。
【００２２】
この暖房装置によれば、暖房装置は、浴室内の空気を吸い込み、吸い込んだ空気を加熱して隣接室内へ吹き出す。そして、吹き出された空気は連通口を介して、再び浴室内へ流れる。このように、暖房装置によって隣接室と浴室との間で、加熱された空気を循環させることで、１つの装置で２室を暖めることができる。このため、２つの装置を設置する場合に比べて、暖房装置を設置するイニシャルコストや施工の工数の増加を抑制することができる。加熱された空気を連通口を介して循環させることで、簡易な構造によって、効率良く２室を暖めることができる。また、隣接室内に加熱された空気が吹き出されることにより、冬場の朝の身支度時などに、隣接室を短時間で暖めることができる。
また、この暖房装置によれば、予め所定の時間を設定することで、その時間を目安に、浴室及び隣接室を暖めることができる。これにより、ヒートショックを抑制することができる。
すなわち、加熱された空気は、隣接室内に吹き出されるため、浴室の温度に比べて、隣接室の温度が上昇しやすい。そこで、所定時間経過後に浴室から吸い込まれる空気の量を増やして、加熱する。これにより、所定時間を目安に、浴室と隣接室との温度差を小さくすることができ、ヒートショックを抑制することができる。
【００２５】
第７の発明は、第６の発明において、前記制御部は、複数のモードを有し、前記複数のモードは、前記加熱部の出力、および、単位時間当たりの前記吹出口から吹き出される空気の量の少なくともいずれかにおいて、互いに異なることを特徴とする暖房装置である。
【００２６】
例えば、浴室及び隣接室の大きさは、現場ごとに異なる。この暖房装置によれば、制御部は、複数のモードを有するため、複数のモードのうち、対象の浴室及び隣接室に適したモードを実行することができる。これにより、浴室及び隣接室の大きさなどによって、温度が上昇しにくくなることを抑制できる。
【００２７】
第８の発明は、第６の発明において、暖房運転開始からの経過時間によって、前記本体部に吸い込まれる単位時間当たりの空気の量を、段階的に変化させることを特徴とする暖房装置である。
【００２８】
この暖房装置においては、加熱された空気は、隣接室内に吹き出されるため、浴室の温度に比べて、隣接室の温度が上昇しやすい。そこで、例えば、経過時間に応じて段階的に、浴室から吸い込まれる空気の量を増やして、加熱する。これにより、浴室と隣接室との温度差を小さくすることができ、ヒートショックを抑制することができる。
【００２９】
第９の発明は、第１〜第８のいずれか１つの発明において、前記吹出口は、前記連通口に向けて空気を吹き出すことを特徴とする暖房装置である。
この暖房装置によれば、加熱された空気は、連通口に向けて吹き出されることにより、浴室に流入しやすくなる。したがって、加熱された空気が浴室と隣接室との間で循環しやすくなり、より効率良く、２室を暖めることができる。
第１０の発明は、第１〜第８のいずれか１つの発明において、前記隣接室内には、洗面化粧台が設けられ、前記吹出口は、空気を吹き出す方向を変更する可動部を有し、前記可動部は、空気を吹き出す方向を前記連通口に向けた方向とすること、および、空気を吹き出す方向を前記洗面化粧台に向けた方向とすることが可能であることを特徴とする暖房装置である。
この暖房装置によれば、加熱された空気が吹き出される方向を可動部によって変更することにより、隣接室全体を効率良く暖めることができる。また、加熱された空気は、連通口に向けて吹き出されることで、浴室に流入しやすくなる。また、加熱された空気が洗面化粧台に向けて吹き出される場合には、暖房装置をヘアドライヤーとして使用することができる。
第１１の発明は、第１〜１０のいずれか１つの発明において、ドア開閉検知手段と、報知手段と、をさらに備え、前記連通口は、前記浴室と前記隣接室とをつなぐドアを含み、前記ドア開閉検知手段は、前記ドアの開閉状態を検知可能であり、前記報知手段は、暖房運転中に前記ドア開閉検知手段が前記ドアが閉じていることを検知すると報知を行うことを特徴とする暖房装置である。
【００３０】
この暖房装置によれば、報知手段によって、暖房運転中にドアを開けることを使用者に促すことができる。暖房運転中にドアを開けることで、隣接室内の空気が浴室により流れやすくなり、浴室を暖める時間を短縮することができる。
【発明の効果】
【００３１】
本発明の態様によれば、１台で効率良く２室を暖めることができる暖房装置が提供される。
【図面の簡単な説明】
【００３２】
【図１】本発明の実施の形態に係る暖房装置が設置された浴室及び隣接室を表す斜視図である。
【図２】実施形態に係る暖房装置が設けられた浴室及び隣接室の要部構成を表すブロック図である。
【図３】実施形態に係る暖房装置を例示するブロック図である。
【図４】図４（ａ）及び図４（ｂ）は、実施形態に係る暖房装置の本体部を表す断面図及び斜視図である。
【図５】図５（ａ）〜図５（ｃ）は、実施形態に係る暖房装置が設置された浴室及び隣接室を表す平面図である。
【図６】実施形態に係る暖房装置の動作を表すフローチャートである。
【図７】図７（ａ）及び図７（ｂ）は、実施形態に係る暖房装置が設置された浴室及び隣接室を表す平面図である。
【図８】実施形態に係る暖房装置の動作を表すフローチャートである。
【図９】実施形態に係る暖房装置の動作を表すフローチャートである。
【図１０】図１０（ａ）及び図１０（ｂ）は、実施形態に係る暖房装置が設置された浴室及び隣接室を表す平面図である。
【図１１】実施形態に係る暖房装置が設置された別の浴室及び隣接室を表す平面図である。
【発明を実施するための形態】
【００３３】
以下、本発明の実施の形態について図面を参照しつつ説明する。なお、各図面中、同様の構成要素には同一の符号を付して詳細な説明は適宜省略する。  
図１は、本発明の実施の形態に係る暖房装置が設置された浴室及び隣接室を表す斜視図である。  
図１に表したように、浴室ＢＲは、洗い場床１３と、側壁１２と、天井１１と、によって区画された空間である。また、浴室ＢＲ内には、洗い場床１３と隣接して浴槽１４が設けられている。
【００３４】
浴室ＢＲの隣には、浴室ＢＲに隣接する隣接室ＮＲが設けられている。本実施形態に係る暖房装置１００（暖房システム）は、隣接室ＮＲに設置される。隣接室ＮＲは、例えば、洗面所、または脱衣所などである。隣接室ＮＲは、床面１５と、側壁１６と、天井１７と、によって区画された空間である。隣接室ＮＲ内には、洗面化粧台ＬＤが設けられている。洗面化粧台ＬＤは、洗面台ＬＤ１と、洗面台ＬＤ１の上方に設けられた鏡ＬＤ２と、を有する。
【００３５】
浴室ＢＲと隣接室ＮＲとの間には、壁１８が設けられている。壁１８は、例えば、浴室ＢＲの側壁１２の一部であり、隣接室ＮＲの側壁１６の一部である。
【００３６】
浴室ＢＲと隣接室ＮＲとの間には、浴室ＢＲと隣接室ＮＲとを連通する連通口２５が設けられている。連通口２５は、例えば、壁１８に設けられ、隣接室ＮＲと浴室ＢＲとをつなぐドア１８ｄである。使用者は、ドア１８ｄを通じて、浴室ＢＲと隣接室ＮＲとの間を出入りできる。または、連通口２５は、ドア１８ｄに設けられたガラリ（換気口）３０であってもよい。一般にガラリ３０は、ドア１８ｄの下部に設けられる。なお、連通口２５は、上記に限らず、浴室ＢＲと隣接室ＮＲとをつなぐ風路（例えば開口）であればよい。
【００３７】
隣接室ＮＲの側壁１６には、廊下などの外部に通じるドア１６ｄが設けられている。浴室ＢＲの側壁１２には、適宜、窓１２ｄなどが設けられていてもよい。  
暖房装置１００の本体部１０は、例えば、このような隣接室ＮＲの天井１７に設置される。暖房装置１００は、例えば、ビルトイン（天井埋め込み）タイプである。
【００３８】
図２は、実施形態に係る暖房装置が設けられた浴室及び隣接室の要部構成を表すブロック図である。図２では、風路系統と電気系統とを併せて表している。  
図３は、実施形態に係る暖房装置を例示するブロック図である。  
図２に表したように、暖房装置１００の本体部１０は、ファン１１０（送風機）、吸込口（第１吸込口１２１及び第２吸込口１２２）、制御部１３０、加熱部１４０及び吹出口１５０を有する。また、浴室ＢＲには、開口部２０が設けられている。図１に表したように、開口部２０は、例えば、浴室ＢＲの天井１１に設けられている。開口部２０は、暖房装置１００が浴室ＢＲ内の空気を吸い込むための吸引手段であり、例えば、天井の開口に設けられたファン（換気扇、送風機）などを含んでいてもよい。
【００３９】
図４（ａ）及び図４（ｂ）を参照して、暖房装置１００の具体例について説明する。
【００４０】
図４（ａ）は、暖房装置１００の本体部１０を表す断面図である。図４（ａ）に表したように、暖房装置１００の本体部１０は、ケース部１０ａ（筐体）を有する。ケース部１０ａの内部に、ファン１１０、ダンパ１０３、加熱部１４０が設けられている。
【００４１】
第１吸込口１２１、第２吸込口１２２、吹出口１５０は、ケース部１０ａに設けられている。例えば、第１吸込口１２１、第２吸込口１２２及び吹出口１５０は、ケース部１０ａの表面に設けられた開口である。
【００４２】
第１吸込口１２１は、例えば、ダクトＤ２を介して、浴室ＢＲに設けられた開口部２０と接続されている。第１吸込口１２１は、浴室ＢＲの内部と本体部１０の内部とを連通する開口である。ファン１１０が回転することよって、第１吸込口１２１は、開口部２０を介して浴室ＢＲ内の空気を吸い込む。
【００４３】
第２吸込口１２２は、ケース部１０ａの下面に位置する。ケース部１０ａの下面は、隣接室ＮＲの内側に露出している。第２吸込口１２２は、隣接室ＮＲの内部と本体部１０の内部とを連通する開口である。ファン１１０が回転することによって、第２吸込口１２２は、隣接室ＮＲ内の空気を吸い込む。
【００４４】
第１吸込口１２１及び第２吸込口１２２から本体部１０に吸い込まれた空気は、ダンパ１０３へ流れる。ダンパ１０３は、例えば、ロータリダンパであり、ダンパ１０３の位置によって、空気の流れる方向が制御される。図４（ａ）に示した位置にダンパ１０３が位置する場合は、吸い込まれた空気は、加熱部１４０の方向へ向かう。加熱部１４０は、吸い込まれた空気を加熱するヒータである。加熱部１４０によって加熱された空気は、吹出口１５０の方向へ向かう。
【００４５】
吹出口１５０は、ケース部１０ａの下面に位置している。これにより、吸い込まれた空気は、吹出口１５０から隣接室ＮＲ内へ吹き出される。吹出口１５０には、可動部１５１（電動ルーバ）が設けられていてもよい。可動部１５１によって、吹出口１５０から吹き出される空気の方向を制御することができる。
【００４６】
なお、ダンパ１０３の位置を変更すると、吸い込まれた空気を、加熱部１４０及び吹出口１５０の方向ではなく、ケース部１０ａに設けられた開口１２５へ流すことができる。開口１２５は、外部へと通じるダクトＤ１と接続されている。これにより、暖房装置１００は、浴室ＢＲ及び隣接室ＮＲ内の空気を外部へ排出して、換気を行うことができる。暖房装置１００が暖房運転を行うときには、ダクトＤ１への風路は、例えば、閉じられている。
【００４７】
図４（ａ）に表したように、ケース部１０ａは、下側部材１０ｂを含む。下側部材１０ｂの少なくとも一部は、ファン１１０の下方側に位置する。図４（ｂ）は、下側部材１０ｂを表す斜視図である。図４（ｂ）は、下側部材１０ｂを下方（隣接室側）から眺めた状態を表す。下側部材１０ｂは、ファン１１０に対応する開口１１０ｅを有する。例えば、第１吸込口１２１又は第２吸込口１２２から吸い込まれた空気は、開口１１０ｅを介して、ファン１１０の方向へ流れる。
【００４８】
さらに下側部材１０ｂには、第１ダンパ２０１、第１モータ２０１ｂ、第２ダンパ２０２及び第２モータ２０２ｂが設けられている。  
第１ダンパ２０１は、第１モータ２０１ｂによって揺動自在に軸支されている。第１モータ２０１ｂによって、第１ダンパ２０１の向きを変化させることができる。これにより、第１吸込口１２１とファン１１０との間の風路を開いたり閉じたりすることができる。すなわち、第１ダンパ２０１によって、第１吸込口１２１から吸い込まれる浴室ＢＲの空気の量を調整することができる。
【００４９】
第２ダンパ２０２は、第２モータ２０２ｂによって揺動自在に軸支されている。第２モータ２０２ｂによって、第２ダンパ２０２の向きを変化させることができる。これにより、第２吸込口１２２とファン１１０との間の風路を開いたり閉じたりすることができる。すなわち、第２ダンパ２０２によって、第２吸込口１２２から吸い込まれる隣接室ＮＲの空気の量を調整することができる。
【００５０】
図４（ａ）及び図４（ｂ）に関して説明した構成により、第１吸込口１２１から吸い込まれる浴室ＢＲ内の空気の量、および、第２吸込口１２２から吸い込まれる隣接室ＮＲ内の空気の量のそれぞれを、例えば独立に調整することができる。また、この例では、吹出口１５０から吹き出される空気の量は、第１吸込口１２１から吸い込まれた空気の量と第２吸込口１２２から吸い込まれた空気の量の和と実質的に等しい。
【００５１】
また、ケース部１０ａの内部に、制御部１３０（図４（ａ）において不図示）を配置してもよい。制御部１３０は、例えばマイコンなど回路である。図３に表したように、制御部１３０は、リモコン４０からの信号や、後述するドア開閉検知手段５１、温度検知手段５２、５３からの信号を受信する。そして，制御部１３０は、受信した信号に基づいて、暖房装置１００の各要素を制御する。具体的には、制御部１３０は、ファン１１０、加熱部１４０、可動部１５１（電動ルーバ）の動作を制御する。また、制御部１３０は、前述のダンパ１０３、第１ダンパ２０１（第１モータ２０１ｂ）、第２ダンパ２０２（第２モータ２０２ｂ）、及び、後述する報知手段６１、６２の動作を制御することができる。浴室ＢＲの開口部２０にファンなどが設けられた場合には、制御部１３０は、そのファンの動作も制御することができる。以上により、制御部１３０は、暖房装置１００の暖房運転を制御する。
【００５２】
使用者は、リモコン４０を用いて、暖房装置１００の各機能の設定及び実行を指示することができる。例えば、暖房運転、換気運転及び衣類乾燥運転などの開始及び停止や、設定温度の調整などを行うことができる。
【００５３】
再び図１を参照して、暖房装置１００の暖房運転における空気の流れについて説明する。  
例えば矢印Ａ１に示したように、浴室ＢＲ内の空気は、開口部２０、第１吸込口１２１を介して、暖房装置１００の本体部１０に吸い込まれる。吸い込まれた空気は、加熱部１４０によって加熱され、矢印Ａ２に示したように、隣接室ＮＲ内へ吹き出される。吹き出された空気の少なくとも一部は、矢印Ａ３に示したように、連通口２５（ドア１８ｄまたはガラリ３０）を介して、浴室ＢＲ内へ流入する。そして、浴室ＢＲ内に流入した空気の少なくとも一部は、矢印Ａ４に示したように、再び開口部２０から吸い込まれる。
【００５４】
また、例えば矢印Ａ５に示したように、暖房装置１００は、第２吸込口１２２を介して隣接室ＮＲ内の空気を吸い込むことができる。そして、吸い込まれた空気は、加熱部１４０によって加熱され、矢印Ａ２に示したように、隣接室ＮＲ内へ吹き出される。
【００５５】
このように、暖房装置１００によって隣接室ＮＲと浴室ＢＲとの間で、加熱された空気が循環する。これにより、１つの装置で２室を暖めることができる。このため、各部屋に一台ずつ暖房装置を設置する場合に比べて、暖房装置を設置するイニシャルコストや施工の工数の増加を抑制することができる。
【００５６】
１つの装置で２室を暖める場合、２室が暖まるまでの時間や消費電力が増加する場合がある。このため、１つの装置で効率良く２室を暖めることが求められている。しかし、効率的に暖房しようとすると、装置の構造が複雑となる場合がある。例えば、暖房装置から、浴室ＢＲ及び隣接室ＮＲの両方に直接、温かい空気を吹き出すようにすると、複数の吹出口が必要となることがある。また、安全性の観点から温風の流路の構成等に制限がある。これに対して、実施形態に係る暖房装置１００においては、加熱された空気を連通口２５を介して循環させることで、簡易な構造によって、効率良く、２室を暖めることができる。
【００５７】
また、暖房運転時において、吹出口１５０は、連通口２５に向けて空気を吹き出すことができる。例えば、ガラリ３０の方向または開いたドア１８ｄの方向に、空気が吹き出されるように可動部１５１（電動ルーバ）が制御される。これにより、空気が浴室ＢＲに、より流入しやすくなる。したがって、加熱された空気が浴室ＢＲと隣接室ＮＲとの間で循環しやすくなり、より効率良く、２室を暖めることができる。
【００５８】
次に、暖房装置１００の運転について、さらに説明する。  
図５（ａ）〜図５（ｃ）は、実施形態に係る暖房装置が設置された浴室及び隣接室を表す平面図である。図５（ａ）〜図５（ｃ）中の矢印は、空気の流れを表す。  
図５（ａ）は、暖房装置１００による２室暖房運転を表している。２室暖房運転は、図１に関して前述した暖房装置１００の動作と同様である。すなわち、暖房装置１００の本体部１０は、浴室ＢＲ内の空気と隣接室ＮＲ内の空気とを吸い込み、吸い込んだ空気を加熱した後、隣接室ＮＲ内に吹き出す。これにより、浴室ＢＲ内及び隣接室ＮＲ内の空気を効率良く暖めながら循環させる。このとき、可動部１５１は、吹出口１５０から吹き出される空気の方向を、連通口２５に向けた方向としている。
【００５９】
このような２室暖房運転は、例えば、使用者の入浴前に行われる。これにより、使用者の入浴時には、浴室内及び隣接室内を暖かい状態とすることができる。また、浴室内の温度と隣接室内の温度と差を小さくすることができる。これにより、ヒートショックを抑制することができる。
【００６０】
暖房装置１００は、図５（ｂ）に表したように、隣接室ＮＲ内のみを暖めることもできる。例えば、図４（ｂ）に関して説明した第１ダンパ２０１の動作によって、浴室ＢＲからの吸気を停止する。そして、隣接室ＮＲ内の空気のみが本体部１０に吸い込まれ、加熱部１４０によって加熱される。このように、隣接室ＮＲと暖房装置１００との間で空気を循環させて、暖房運転を行ってもよい。これにより、例えば、冬場の朝の身支度時などに、隣接室ＮＲを短時間で暖めることができる。このとき、可動部１５１は、加熱された空気が吹き出される方向を変更して、空気の対流を促すことができる。これにより、隣接室ＮＲ全体を効率良く暖めることができる。また、可動部１５１は、吹出口１５０から吹き出される空気の方向を、洗面化粧台ＬＤ（洗面台または鏡）に向けた方向とすることができる。これにより、暖房装置をヘアドライヤーとして使用することができる。
【００６１】
暖房装置１００は、図５（ｃ）に表したような換気運転を行うこともできる。暖房装置１００の本体部１０は、浴室ＢＲ内の空気、および、隣接室ＮＲ内の空気、の少なくともいずれかを吸い込み、吸い込んだ空気を外部へ排出する。
【００６２】
図３に関して前述した通り、暖房装置１００は、温度検知手段を有していてもよい。温度検知手段は、例えば、浴室ＢＲ内の温度を測定する浴室温度センサ５２と、隣接室ＮＲ内の温度を測定する隣接室温度センサ５３である。  
浴室温度センサ５２は、浴室ＢＲ内に設けられてもよいし、開口部２０や本体部１０に設けられてもよい。例えば、浴室ＢＲ内の温度とは、開口部２０から吸い込まれた空気であって、合流箇所１２３（図２を参照）に到達する前の空気の温度であってもよい。なお合流箇所１２３は、第１吸込口１２１から吸い込まれた空気と第２吸込口１２２から吸い込まれた空気とが合流する位置である。同様に、隣接室温度センサ５３は、隣接室ＮＲ内に設けられてもよいし、本体部１０に設けられてもよい。隣接室ＮＲ内の温度とは、第２吸込口１２２から吸い込まれた空気であって、合流箇所１２３に到達する前の空気の温度であってもよい。
【００６３】
このような温度検知手段を用いることにより、さらに効率の良い暖房運転を行うことができる。例えば、制御部１３０は、浴室ＢＲ内の温度と、隣接室ＮＲ内の温度と、に基づいて、本体部１０に吸い込まれる単位時間当たりの空気の量（立方メートル毎秒：ｍ３／ｓ）を調整する。  
なお、「本体部１０に吸い込まれる単位時間当たりの空気の量」とは、第１吸込口１２１から吸い込まれる単位時間当たりの空気の量（ｍ３／ｓ）と、第２吸込口１２２から吸い込まれる単位時間当たりの空気の量（ｍ３／ｓ）と、の和である。本体部１０に吸い込まれる単位時間当たりの空気の量の「調整」とは、第１吸込口１２１から吸い込まれる単位時間当たりの空気の量、及び、第２吸込口１２２から吸い込まれる単位時間当たりの空気の量、の少なくともいずれかを変更（増加または減少）することをいう。このような暖房運転の一例について、図６、図７（ａ）及び図７（ｂ）を参照して説明する。
【００６４】
図６は、実施形態に係る暖房装置の動作を表すフローチャートである。  
図７（ａ）及び図７（ｂ）は、実施形態に係る暖房装置が設置された浴室及び隣接室を表す平面図である。図７（ａ）及び図７（ｂ）中の矢印は、空気の流れを表す。図７（ａ）及び図７（ｂ）中の矢印の相対的な大きさは、流量の相対的な大きさに対応している。  図６に表したように、暖房運転のスイッチがＯＮになるまで（ステップＳ１０１：Ｎｏ）、制御部１３０は、待機状態である。リモコン４０からの信号などに基づいて、暖房運転のスイッチがＯＮになると（ステップＳ１０１：Ｙｅｓ）、制御部１３０は、浴室ＢＲ及び隣接室ＮＲから空気を吸い込み、吸い込んだ空気を加熱して隣接室ＮＲへ吹き出すように、ファン１１０や加熱部１４０などを制御する（ステップＳ１０２）。
【００６５】
図６において、浴室ＢＲの吸気量（第１吸込口１２１から単位時間当たりに吸い込まれる空気の量）を、Ｉｙと表し、隣接室ＮＲの吸気量（第２吸込口１２２から単位時間当たりに吸い込まれる空気の量）をＩｒと表している。浴室ＢＲの初期の吸気量をＩｙｓと表し、隣接室ＮＲの初期の吸気量をＩｒｓと表している。浴室ＢＲ内の温度をＴｙと表し、隣接室ＮＲ内の温度をＴｒと表している。
【００６６】
ステップＳ１０３において、隣接室ＮＲ内の温度Ｔｒと浴室ＢＲ内の温度Ｔｙとの差の絶対値が所定値（温度差Ｔｓ）よりも大きい場合、制御部１３０は、ステップＳ１０４に進む。ステップＳ１０４において、隣接室ＮＲ内の温度が浴室ＢＲ内の温度よりも高い場合、制御部１３０は、ステップＳ１０５を実行する。隣接室ＮＲ内の温度が浴室ＢＲ内の温度よりも高くない場合、制御部１３０は、ステップＳ１０６を実行する。
【００６７】
隣接室ＮＲの温度が相対的に高い場合、浴室ＢＲからの吸気量（吸引手段の吸気量）を増加させる（ステップＳ１０５）。すなわち、図７（ａ）に表したように浴室ＢＲの吸気量を増加させる。これにより、隣接室ＮＲの温度よりも浴室ＢＲの温度が上昇しやすくなり、浴室ＢＲの温度と隣接室ＮＲの温度との差を小さくすることができる。浴室ＢＲの温度が相対的に高い場合、制御部１３０は、隣接室ＮＲからの吸気量（暖房装置の吸気量）を増加させる（ステップＳ１０６）。すなわち、図７（ｂ）に表したように隣接室ＮＲからの吸気量を増加させる。これにより、浴室ＢＲの温度よりも隣接室ＮＲの温度が上昇しやすくなり、浴室ＢＲの温度と隣接室ＮＲの温度との差を小さくすることができる。ステップＳ１０５及びＳ１０６の後に、制御部１３０は、ステップＳ１０３の判定を再び行う。
【００６８】
ステップＳ１０４〜Ｓ１０６のように、温度に応じて吸気量を変更することにより、温度が低い方の部屋の空気を優先的に暖める。これにより、２室の温度を短い時間で効率良く上昇させることができる。また、浴室ＢＲの温度と隣接室ＮＲの温度との差を小さくすることができる。なお、この例では、浴室ＢＲの吸気量または隣接室ＮＲの吸気量を増加させているが、実施形態は、これに限られない。本体部１０の吸気量の調整は、浴室ＢＲからの吸気量と、隣接室ＮＲからの吸気量と、のバランスを変更を含む。例えば、浴室ＢＲからの吸気量及び隣接室ＮＲからの吸気量のいずれか一方を減らしても良いし、両方を増加または減少させてもよい。
【００６９】
ステップＳ１０３において、隣接室ＮＲ内の温度Ｔｒと浴室ＢＲ内の温度Ｔｙとの差の絶対値が所定値（温度差Ｔｓ）以下であった場合、制御部１３０は、本体部１０に吸い込まれる単位時間当たりの空気の量を減らす（ステップＳ１０７）。すなわち、（Ｉｙ＋Ｉｒ）を、（Ｉｙｓ＋Ｉｒｓ）よりも小さくする。例えば、Ｉｙ、Ｉｒを、それぞれ、Ｉｙｓ、Ｉｒｓよりも小さくする。これにより、空気を吸い込むために消費される電力が抑えられる。その後、暖房運転のスイッチがＯＦＦにされると（ステップＳ１０８：Ｙｅｓ）、暖房装置１００は、処理を終了する。
【００７０】
浴室ＢＲと隣接室ＮＲとが暖められ、温度差が小さくなれば、その後、暖房装置１００によって暖められる空気の量を減らしても、高い温度及び小さい温度差を維持しやすい。そこで、上記のステップＳ１０７を実行することにより、浴室ＢＲの温度と隣接室ＮＲの温度との差を小さくしてヒートショックを抑制しつつ、消費電力を抑えることができる。なお、所定値（温度差Ｔｓ）は、任意の値に設定することができるが、小さい方がヒートショックを抑制しやすい。
【００７１】
また、図３に関して前述した通り、暖房装置１００は、報知手段６１（第１の報知手段）を有していてもよい。報知手段６１は、浴室ＢＲ内の温度の単位時間当たりの変化率Ｒｂ、及び、隣接室ＮＲ内の単位時間当たりの変化率Ｒｎ、の少なくともいずれかが低い場合に、使用者に報知を行う。報知手段６１は、音による手段でもよいし、光（例えばリモコン４０に設けられたディスプレイなど）による手段でもよい。
【００７２】
例えば、隣接室ＮＲのドア１６ｄが開いているような場合、暖房運転を行っても、温度が上昇せず、隣接室ＮＲ内の単位時間当たりの変化率Ｒｎが低いことがある。報知手段６１は、この変化率Ｒｎが所定値Ｃｎよりも低い場合に報知を行う。また、例えば、浴室ＢＲの窓１２ｄが開いているような場合、暖房運転を行っても、浴室ＢＲ内の単位時間当たりの変化率Ｒｂが低いことがある。報知手段６１は、この変化率Ｒｂが所定値Ｃｂよりも低い場合に報知を行う。これにより、意図せずに開いたままとなっているドア等を閉じるよう使用者に促すことができる。したがって、２室を確実に暖めることができる。
【００７３】
なお、ドアや窓を閉じた状態での試運転により変化率Ｒｎ及びＲｂを測定し、その値に応じて所定値Ｃｎ及びＣｂを定めることができる。または、使用者が所定値Ｃｎ及びＣｂを適宜選択できるようにしてもよい。
【００７４】
また、図３に関して前述した通り、暖房装置１００は、ドア開閉検知手段５１及び報知手段６２（第２の報知手段）を有していてもよい。ドア開閉検知手段５１は、例えば、浴室ＢＲと隣接室ＮＲとをつなぐドア１８ｄに設けられたセンサである。ドア開閉検知手段５１は、ドア１８ｄが開いているか、閉じているか、を検知することができる。報知手段６２は、暖房運転中にドア開閉検知手段５１により、ドア１８ｄが閉じていることを検知すると、使用者に報知を行う。報知手段６２は、音による手段でもよいし、光による手段でもよい。
【００７５】
図６に関して説明したような暖房運転中には、ドア１８ｄが閉じたままであるよりも、開いている方が、空気が循環しやすい。そこで、ドア開閉検知手段５１及び報知手段６２によって、暖房運転中にドアを開ける様に使用者に促すことができる。これにより、隣接室ＮＲ内の空気が浴室ＢＲにより流れやすくなり、浴室ＢＲを暖める時間を短縮することができる。
【００７６】
次に、図６に関して説明した例とは別の暖房運転の一例について、図８を参照して説明する。  
図８は、実施形態に係る暖房装置の動作を表すフローチャートである。  
図８に表したように、暖房運転のスイッチがＯＮになると（ステップＳ２０１：Ｙｅｓ）、制御部１３０は、温風（暖房風）を送風する様にファン１１０や加熱部１４０を制御する（ステップＳ２０２）。ステップＳ２０２においては、本体部１０の浴室ＢＲからの吸気量（Ｉｙｓ）は、本体部１０の隣接室ＮＲからの吸気量（Ｉｒｓ）よりも少ない。例えば、浴室ＢＲからの吸気量Ｉｙｓは、極めて少なく、実質的にゼロであってもよい。
【００７７】
このステップＳ２０２は、隣接室ＮＲ内の温度が所定の温度以上になるまで続けられる（ステップＳ２０３：Ｎｏ）。すなわち、この例では、制御部１３０は、まず、隣接室ＮＲ内の温度が所定の温度以上となるまで、隣接室ＮＲ内の空気を優先的に暖める制御を実行する。なお、所定の温度は、任意の温度でよく、例えば、使用者がリモコン４０に入力可能な設定温度などに基づく。所定の温度は、ヒートショックを抑制するために十分な温度であることが望ましい。
【００７８】
その後、隣接室ＮＲ内の温度が所定の温度以上になると（ステップＳ２０３：Ｙｅｓ）、制御部１３０は、ステップＳ２０４において、浴室ＢＲからの吸気量を増加させる。すなわち、浴室ＢＲの吸気量Ｉｙを、初期の吸気量（ステップＳ２０２におけるＩｙｓ）よりも多くする。
【００７９】
上記のように隣接室ＮＲ内を優先的に暖め、その後、ステップＳ２０４を実行して浴室ＢＲを暖める。ここで、一般的に空気は、温度が高い方から低い方へ流れやすい。このため、ステップＳ２０４を実行したときには、隣接室ＮＲ内の空気は、連通口２５を介して、浴室ＢＲへ流れやすくなっている。したがって、ステップＳ２０４においては、空気が循環しやすく、隣接室ＮＲ内の熱が浴室ＢＲへ拡散するため、短時間で浴室ＢＲ内の温度を上昇させることができる。例えば、一時的に温度差を生じさせることで、その後の空気の循環を促す。これにより、浴室ＢＲと隣接室ＮＲとの温度差を小さくすることができる。
【００８０】
さらにステップＳ２０４において、加熱手段（加熱部１４０）の通電量を少なくしてもよい。すなわち、制御部１３０は、加熱部１４０に流れる電流（アンペア）を小さくする。例えば、加熱部１４０をＯＦＦにする。これにより、消費電力を抑えることができる。以上により、例えば、ヒートショックの抑制の観点から隣接室ＮＲが十分に暖まった後に、消費電力が低くなる。これにより、ヒートショックの発生を抑制しつつ、消費電力を抑えることができる。
【００８１】
また、ステップＳ２０４において、吹出口１５０から吹き出される単位時間当たりの空気の量を少なくしてもよい。すなわち、隣接室ＮＲからの吸気量Ｉｒと、浴室ＢＲからの吸気量Ｉｙと、の和を少なくしてもよい。例えば、加熱部１４０がＰＴＣ（Positive Temperature Coefficient）ヒータである場合、吹出口１５０から吹き出される単位時間当たりの空気の量を少なくすることで、加熱部１４０における消費電力を抑えることができる。
【００８２】
次に、図６及び図８に関して説明した例とは別の暖房運転の一例について、図９、図１０（ａ）及び図１０（ｂ）を参照して説明する。なお、この例では、温度検知手段が設けられていなくてもよい。
【００８３】
図９は、実施形態に係る暖房装置の動作を表すフローチャートである。  
図１０（ａ）及び図１０（ｂ）は、実施形態に係る暖房装置が設置された浴室及び隣接室を表す平面図である。図１０（ａ）及び図１０（ｂ）中の矢印は、空気の流れを表す。図１０（ａ）及び図１０（ｂ）中の矢印の相対的な大きさは、流量の相対的な大きさに対応している。
【００８４】
図９に表したように、暖房運転のスイッチがＯＮになると（ステップＳ３０１：Ｙｅｓ）、制御部１３０は、浴室ＢＲ及び隣接室ＮＲから空気を吸い込み、吸い込んだ空気を加熱して隣接室ＮＲへ吹き出すように、ファン１１０や加熱部１４０などを制御する（ステップＳ３０３）。
【００８５】
なお、この例では、制御部１３０は、ステップＳ３０３を実行する前に、モード選択を実行する。例えば、制御部１３０は、複数のモードを実行可能であり、ステップＳ３０２において、複数のモードのうちの１つが選択される。各モードは、単位時間当たりの加熱部１４０の出力（ワット：Ｗ）、および、吹出口１５０から吹き出される単位時間当たりの空気の量、の少なくともいずれかにおいて、互いに異なる。
【００８６】
浴室ＢＲの大きさ（広さ）や隣接室ＮＲの大きさは、現場ごとに異なる。また、浴室ＢＲのレイアウト、隣接室ＮＲのレイアウト、本体部１０の位置、開口部２０の位置なども現場ごとに異なる。そこで、複数のモードを用意しておき、複数のモードの中から、現場に適した出力（加熱部の出力及び吹出口からの風量）を有するモードを実行する。例えば、部屋が広い場合は、その部屋から吸い込まれる空気の量を多くする、または加熱部１４０の出力を高くする。モード選択の際には、例えば、使用者がリモコン４０から、部屋の大きさ、または、出力の大きさに関する信号を入力する。制御部１３０は、入力された信号に基づいて、いずれかのモードを実行する。これにより、浴室ＢＲ及び隣接室ＮＲの大きさなどによって温度が上昇しにくくなることを抑制できる。
【００８７】
暖房運転を開始してから第１所定時間が経過すると（ステップＳ３０４：Ｙｅｓ）、制御部１３０は、ステップＳ３０５において、浴室ＢＲからの吸気量（吸引手段の吸気量）を増加させる。図１０（ａ）は、ステップＳ３０３の初期の送風の様子を表している。図１０（ｂ）は、暖房運転開始後から第１所定時間が経過してステップＳ３０５が実行された後の様子を表している。図１０（ｂ）の状態における浴室ＢＲからの吸気量は、図１０（ａ）の状態における浴室ＢＲからの吸気量よりも、多い。図１０（ｂ）の状態における隣接室ＮＲからの吸気量は、図１０（ａ）の状態における隣接室ＮＲからの吸気量よりも、少ない。
【００８８】
その後、ステップＳ３０５を実行してから第２所定時間が経過すると（ステップＳ３０６：Ｙｅｓ）、制御部１３０は、ステップＳ３０７において、浴室ＢＲからの吸気量をさらに増加させる。その後、ステップＳ３０７を実行してから第３所定時間が経過すると（ステップＳ３０８：Ｙｅｓ）、制御部１３０は、ステップＳ３０９において、浴室ＢＲからの吸気量をさらに増加させる。そして、暖房運転のスイッチがＯＦＦにされると（ステップＳ３１０：Ｙｅｓ）、暖房装置１００は、処理を終了する。
【００８９】
以上説明したように、制御部１３０は、暖房運転開始から所定時間が経過すると、本体部１０に吸い込まれる単位時間当たりの空気の量を調整する。例えば、制御部１３０は、単位時間当たりに第１吸込口１２１から吸い込まれる浴室ＢＲ内の空気の量を段階的に増加させる。なお、所定時間（第１〜第３所定時間）は、使用者が設定する任意の時間でよい。
【００９０】
暖房装置１００は、加熱された空気を隣接室ＮＲ内に吹き出すため、浴室ＢＲの温度に比べて、隣接室ＮＲの温度が上昇しやすい。そこで、上述のように、所定時間経過後に浴室ＢＲから吸い込まれる空気の量を増やして、加熱する。これにより、所定時間を目安に、浴室ＢＲと隣接室ＮＲとの温度差を小さくすることができ、ヒートショックを抑制することができる。また、所定時間の設定によって、使用者にとって必要なタイミングで温度差を小さくすることができるため、無駄な電力を消費せずに効率良く２室を暖めることができる。
【００９１】
なお、所定時間の経過に応じて、浴室ＢＲからの吸気量を変更（増加又は減少）しつつ隣接室ＮＲからの吸気量を変更（増加又は減少）してもよい。所定時間経過後に、隣接室ＮＲからの吸気量と浴室ＢＲからの吸気量とのバランスを変更することで、温度差を小さくすることができる。
【００９２】
使用者の入浴中には、浴室ＢＲ内は、湿度が高い状態となる。このため、図６〜図１０（ｂ）に関して説明した暖房運転は、使用者の入浴前に行われ、入浴中には行われないことが望ましい。これにより、隣接室ＮＲ内の湿度の上昇を防ぐことができる。暖房装置１００は、浴室ＢＲ内に設けられた湿度センサなどによって、使用者の入浴を検知してもよい。
【００９３】
図１１は、実施形態に係る暖房装置が設置された別の浴室及び隣接室を表す平面図である。  
図１１に表したように、暖房装置１００の本体部１０は、隣接室ＮＲの天井１７ではなく、壁１８（側壁１６）に設けられてもよい。浴室ＢＲの天井１１の高さ及び隣接室ＮＲの天井１７の高さによっては、本体部１０を壁１８に設けることによって、ダクトＤ２の施工を容易にすることができる。一方、図１１に示した破線Ｐ１のように本体部１０を天井１７に設置した場合には、隣接室ＮＲの全体に温風を送りやすい。また、図１１に示した一点鎖線Ｐ２のように洗面化粧台ＬＤの上方に本体部１０を設置してもよい。この場合には、ヘアドライヤーとしての使い勝手が向上する。
【００９４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室ＢＲ、隣接室ＮＲ、暖房装置１００、本体部１０、第１吸込口１２１、第２吸込口１２２、加熱部１４０、吹出口１５０及び連通口２などの形状、寸法、材質、配置や、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００９５】
１０ 本体部、  １０ａ ケース部、  １０ｂ 下側部材、  １１ 天井、  １２ 側壁、  １２ｄ 窓、  １３ 洗い場床、  １４ 浴槽、  １５ 床面、  １６ 側壁、  １６ｄ ドア、  １７ 天井、  １８ 壁、  １８ｄ ドア、  ２０ 開口部、  ２５ 連通口、  ３０ ガラリ、  ４０ リモコン、  ５１ ドア開閉検知手段、  ５２ 浴室温度センサ、  ５３ 隣接室温度センサ、  ６１ 第１の報知手段、  ６２ 第２の報知手段、  １００ 暖房装置、  １０３ ダンパ、  １１０ ファン、  １１０ｅ 開口、  １２１ 第１吸込口、  １２２ 第２吸込口、  １２３ 合流箇所、  １２５ 開口、  １３０ 制御部、  １４０ 加熱部、  １５０ 吹出口、  １５１ 可動部、  ２０１ 第１ダンパ、  ２０１ｂ 第１モータ、  ２０２ 第２ダンパ、  ２０２ｂ 第２モータ、  ＢＲ 浴室、  Ｄ１、Ｄ２ ダクト、  ＬＤ 洗面化粧台、  ＬＤ１ 洗面台、  ＬＤ２ 鏡、  ＮＲ 隣接室
【図１】
0006748902.tif 000002
【図２】
0006748902.tif 000003
【図３】
0006748902.tif 000004
【図４】
0006748902.tif 000005
【図５】
0006748902.tif 000006
【図６】
0006748902.tif 000007
【図７】
0006748902.tif 000008
【図８】
0006748902.tif 000009
【図９】
0006748902.tif 000010
【図１０】
0006748902.tif 000011
【図１１】
0006748902.tif 000012